(57)【特許請求の範囲】
【請求項１】
器具本体と、
前記器具本体に一対のソケットを介して支持された直管ランプと、
前記器具本体に一対の取付台を介して支持され、前記直管ランプを長手方向に沿って覆う略樋形状のカバー部材と、
前記カバー部材の内側に設けられた反射板と、
前記カバー部材および前記反射板にそれぞれ設けられ、前記各取付台が挿通されるカバー部材切欠部および反射板切欠部と、
前記カバー部材切欠部および前記反射板切欠部の周部において前記カバー部材および前記反射板に設けられた空隙部とを備える照明器具。
【請求項２】
請求項１に記載の照明器具において、
前記カバー部材が前記直管ランプの長手方向に対して略平行な複数の稜線を有する多角形状である照明器具。
【請求項３】
請求項１または請求項２に記載の照明器具において、
前記カバー部材および前記反射板の長手方向両端部を覆う一対のエンドカバーを有し、  前記各エンドカバーが、前記各取付台に対して前記直管ランプの長手方向に対して略平行な支軸を介して連結されている照明器具。
【発明の詳細な説明】
【技術分野】
【０００１】
本発明は、直管ランプを用いた照明器具に関するものである。
【背景技術】
【０００２】
従来の直管ランプを用いた照明器具においては、光漏れを防ぐために直管ランプを覆うカバー等に生じる隙間を覆う部材が設けられているものがある（例えば特許文献１参照）。
【０００３】
以下、図７により従来の照明器具について説明する。この照明器具１００では、矩形板状の器具本体１０１を有し、器具本体１０１の外周に沿って垂直部１０２，１０３，１０４，１０５が折り曲げ形成されている。器具本体１０１の内部には複数対のランプソケット１０８が設けられており、光源である直管ランプ１０６がランプソケット１０８に着脱可能に取り付けられている。器具本体１０１の前面には、直管ランプ１０６を覆う透光性を有するカバー１０７が着脱可能に設けられている。
また、図８に示すように、直交する２つの垂直部１０２，１０３の交点では、端面１０２ａ、１０３ａ同士が突き合わされており、端面１０２ａ、１０３ａの近傍の器具本体１０１上面には係止孔１０２ｂ、１０３ｂが設けられている。
【０００４】
図８に示すように、垂直部１０２，１０３の交点には、保護部材１０９が着脱可能に取り付けられる。保護部材１０９は、光不透過で弾性を有する部材であり、器具本体１０１の上面を覆う上蓋部１１０、垂直部１０２、１０３の外側を覆う側蓋部１１１，１１２を有する。上蓋部１１０の下面には、係止孔１０２ｂ、１０３ｂに係合する引掛爪１１０ａ、１１０ｂが設けられている。
【０００５】
従って、保護部材１０９を器具本体１０１の上方から被せ、引掛爪１１０ａ、１１０ｂを係止孔１０２ｂ、１０３ｂに係合させることにより、保護部材１０９を器具本体１０１に固定する。
【先行技術文献】
【特許文献】
【０００６】
【特許文献１】特開平８−１８０７１６号公報（第１図、第４図）
【発明の概要】
【発明が解決しようとする課題】
【０００７】
しかしながら、従来の照明器具においては、隣接する垂直部の端面の合わせ部分の外側を保護部材によって覆っているので、合わせ部分から光が漏れるのを防止できるものの、外観意匠が重たく感じるとともに、部品点数が増加してコストアップを招くという問題があった。
特に、照射角度の調整が可能な照明器具においては、回動を許容するために隙間が大きくなるため、光漏れを防止するための部材が大きくなり、改善が望まれている。
【０００８】
本発明は、従来の問題を解決するためになされたもので、外観意匠を向上させるとともに、低コストで光漏れを防止できる照明器具を提供することを目的とする。
【課題を解決するための手段】
【０００９】
本発明の照明器具は、器具本体と、器具本体に一対のソケットを介して支持された直管ランプと、器具本体に一対の取付台を介して支持され、直管ランプを長手方向に沿って覆う略樋形状のカバー部材と、カバー部材の内側に設けられた反射板と、カバー部材および反射板にそれぞれ設けられ、各取付台が挿通されるカバー部材切欠部および反射板切欠部と、カバー部材切欠部および反射板切欠部の周部においてカバー部材および反射板に設けられた空隙部とを備えるものである。
【００１０】
また、本発明の照明器具は、カバー部材が直管ランプの長手方向に対して略平行な複数の稜線を有するものである。
【００１１】
さらに、本発明の照明器具は、カバー部材および反射板の長手方向両端部を覆う一対のエンドカバーを有し、各エンドカバーが、各取付台に対して直管ランプの長手方向に対して略平行な支軸を介して連結されているものである。
【発明の効果】
【００１２】
本発明は、カバー部材および反射板に、取付台が挿通されるカバー部材切欠部および反射板切欠部を設けたので、取付台に対してカバー部材および反射板が回動可能となる。このとき、カバー部材切欠部および反射板切欠部の周部においてカバー部材および反射板との間に空隙部を設けたので、直管ランプからの光が直接、意匠側（外側）へ漏れることを防止し、外観意匠を向上させるとともに、低コストで光漏れを防止できるという効果を有する照明器具を提供できる。
【図面の簡単な説明】
【００１３】
【図１】本発明に係る実施形態の照明器具の使用状態を示す側面図
【図２】照明器具の全体を示し，（Ａ）は正面図，（Ｂ）は平面図，（Ｃ）は側面図
【図３】照明器具の側面図および一部拡大の拡大図
【図４】照明器具の端部における分解斜視図
【図５】エンドカバーとカバー部材および反射板の端部を示す斜視図
【図６】カバー部材と反射板との取付状態を示す断面図
【図７】従来の照明器具の斜視図
【図８】図７中ＶＩＩＩ部分の拡大分解図
【発明を実施するための形態】
【００１４】
以下、本発明の実施形態の照明器具について、図面を用いて説明する。
図１に示すように、本発明に係る実施形態の照明器具１０は、例えば、被取付部である天井１１に取り付けられて、黒板１２や絵画等を照明するのに用いられる。
図１および図２に示すように、照明器具１０は、全体矩形状の器具本体２０と、この器具本体２０を天井１１から吊す吊り具１３を有する。
【００１５】
吊り具１３は、複数本（ここでは２本）の支柱１４，１４を有しており、支柱１４の天
井１１への取付部は、不透明な覆い１５で隠されている。支柱１４の下端部には取付部材１６が支柱１４に直交して設けられており、ボルト１６ａおよびナット１６ｂで器具本体２０を取付部材１６に固定している。なお、取付部材１６のネジ穴（図示省略）は、長手方向外側に向かって開口しており、ボルト１６ａを挿通させることなく側方の開口から挿入して取り付けることができる。
【００１６】
図２乃至図４に示すように、器具本体２０の長手方向両端部には、器具本体２０の下面２０ａから下方へ突出してランプソケット２１が設けられており、光源である直管ランプとしての直管蛍光灯２２が着脱可能にランプソケット２１間に取り付けられる。ランプソケット２１は、器具本体２０の内部に設けられている点灯装置（図示省略）に接続されている。
【００１７】
器具本体２０の上面２０ｂにおける吊り具１３の支柱１４を取り付ける部位には、取付部材１６を取り付けるための凸部２０ｄが設けられている。凸部２０ｄは、取付部材１６の両外側に向かって開口したネジ穴２０ｅを有する。従って、取付部材１６を一対の凸部２０ｄに合わせることにより、ネジ穴２０ｅの開口と取付部材１６の開口とが対応するので、ボルト１６ａをネジ穴２０ｅに挿通させることなく、側方から取り付けることができ、容易に取り付けることができる。
【００１８】
なお、器具本体２０の上面２０ｂには、凸部２０ｄよりもわずかに上方に突出する当接部２０ｃが長手方向に一対設けられており、前述した吊り具１３を用いずに器具本体２０を直接天井１１に取り付ける際に、天井１１に当接して、器具本体２０と天井１１との間に隙間を設ける。
【００１９】
器具本体２０の長手方向両外側には、全体「Ｌ」字状に直角に折り曲げ形成された取付台２３がそれぞれ設けられている。取付台２３は、上部に水平に設けられて器具本体２０の上面２０ｂに取り付けられる器具本体取付部２３ａと、器具本体取付部２３ａから下方へ延びるエンドカバー取付部２３ｂを有する。
取付台２３のエンドカバー取付部２３ｂには、貫通穴２３ｃが設けられており、それぞれ後述するエンドカバー３０が回動軸となるネジ２６によって回動可能に取り付けられる。貫通穴２３ｃおよびネジ２６は、ランプソケット２１に取り付けられた直管蛍光灯２２の中心軸の位置に略一致している。
【００２０】
エンドカバー取付部２３ｂには、貫通穴２３ｃを中心とした円弧状に、複数個（ここでは、３個）を一組にした二組の位置決め係止穴群２４、２５が設けられており、位置決め係止穴群２４と係止穴群２５は、貫通穴２３ｃを通過する上下方向の取付台２３の中心線ＣＬに対して対称位置に設けられている。取付台２３を、器具本体２０の左側（図２（Ａ）において左側）端部に用いる場合には位置決め係止穴群２４を用い（図３に示す状態）、右側（図２（Ａ）において右側）端部に用いる場合には係止穴群２５を用いる。位置決め係止穴群２４，２５の用い方については、後述する。
【００２１】
各位置決め係止穴群２４，２５は、中心線ＣＬに近い方から、貫通穴２３ｃを中心とした中心角θ１で位置決め係止穴２４ａ、２５ａが設けられ、中心角θ２で位置決め係止穴２４ｂ、２５ｂが設けられ、中心角θ３で位置決め係止穴２４ｃ、２５ｃが設けられている。ここで、θ１〜θ３は、図１で示した照射角度θとなる。
【００２２】
図４に示すように、エンドカバー３０は全体略三角形状をした板状部材であり、底辺３１を除く斜辺３２、３３は、器具本体２０の中心側へ折り曲げて取付片３２ａ、３３ａが形成されている。一方の取付片３２ａは、一部が切欠かれてエンドカバー部材切欠部３４が形成されている。各取付片３２ａ、３３ａには、取付ネジ３５用のネジ穴３２ｂ、３３ｂが設けられている。また、中央上部には、取付台２３に取り付けるための貫通穴３６が設けられている。前述したように、エンドカバー３０が取り付けられる取付台２３の貫通穴２３ｃおよびネジ２６は、ランプソケット２１に取り付けられた直管蛍光灯２２の中心軸の位置に略一致している。また、回動軸となるネジ２６は、直管ランプの長手方向に対して略平行となっているので、エンドカバー３０は直管蛍光灯２２の回りに回動することになる。
【００２３】
エンドカバー３０における貫通穴３６の下方には、外側に突出する位置決め凸部３７が設けられている。この位置決め凸部３７は、エンドカバー３０を取付台２３のエンドカバー取付部２３の内面に取り付けた際に、エンドカバー取付部２３ｂに設けられている位置決め係止穴群２４，２５の一つに係止されて、照射角度θを決定する。
【００２４】
両エンドカバー３０、３０の間には、直管ランプを長手方向に沿って覆う略樋形状のカバー部材４０が設けられ、カバー部材４０の内側には反射板５０が設けられている。
従って、エンドカバー３０を回動させることにより、カバー部材４０および反射板５０は取付台２３に対して回動する。
【００２５】
図４および図５に示すように、カバー部材４０は、エンドカバー３０の斜辺３２，３３に設けられている取付片３２ａ、３３ａの内面に当接する形状をしており、長手方向両端部には、回動時に取付台２３との干渉を避けるためのカバー部材切欠部４１が形成されている。カバー部材４０は、エンドカバー３０の取付片３２ａ、３３ａに取付ネジ３５により取り付けられる。
なお、カバー部材４０は、直管ランプ２２の長手方向に対して略平行な複数の稜線４２を設けて、断面を多角形状とするのが望ましい。
【００２６】
反射板５０はカバー部材４０の内側に取り付けられて、直管蛍光灯２２の光を所定の方向へ反射させるものであり、例えばパラボラ形状とすることができる。反射板５０の幅方向両端には、長手方向に沿って外向きの折り返し５１が設けられており、カバー部材４０の幅方向両端を係止している。反射板５０の長手方向両端部には、回動時に取付台２３との干渉を避けるための反射板切欠部５２が形成されている。
また、図５および図６に示すように、カバー部材切欠部４１および反射板切欠部５２の周部において、カバー部材４０および反射板５０との間には、空隙部５３が形成されている。
【００２７】
以上、説明した本発明に係る実施形態の照明器具１０によれば、カバー部材４０および反射板５０に、取付台２３が挿通されるカバー部材切欠部４１および反射板切欠部５２を設けたので、カバー部材４０および反射板５０は取付台２３に対して回動可能となる。このとき、カバー部材切欠部４１および反射板切欠部５２の周部においてカバー部材４０および反射板５０との間に空隙部５３を設けたので、直管ランプからの光が直接、意匠側へ漏れることを防止し、外観意匠を向上させるとともに、低コストで光漏れを防止できる。
特に、照明器具１０により黒板１２を照明した際に、黒板１２とは反対側にいる生徒等から光漏れが見えないようにできる。
【００２８】
また、カバー部材４０に、直管ランプ２２の長手方向に対して略平行な複数の稜線４２設けたので、良好な外観性が得られるとともに、カバー部材４０および反射板５０を回転させる際に変形する等の不具合が生じ難くできる。
【００２９】
さらに、カバー部材４０および反射板５０の長手方向両端部を覆う一対のエンドカバー３０，３０を設け、各エンドカバー３０が、各取付台２３に対して直管蛍光灯２２の長手方向に対して略平行なネジ２６を介して連結されているので、黒板１２の高さ等に応じてカバー部材４０および反射板５０を回動させ、容易に照射方向を３段階に変えることが可能である。
【００３０】
なお、本発明の照明器具は、前述した実施形態に限定されるものでなく、適宜な変形，改良等が可能である。
例えば、前述した実施形態においては、光源として１本の直管蛍光灯２２を用いた場合を例示したが、本発明は複数本の直管蛍光灯を用いた場合にも適用可能である。
また、図５等に示したように、４本の稜線４２を有するカバー部材４０を例示したが、稜線４２の本数はこれに限るものではない。
【符号の説明】
【００３１】
１０  照明器具
２０  器具本体
２１  ランプソケット（ソケット）
２２  直管蛍光灯（直管ランプ）
２３  取付台
２６  ネジ（支軸）
３０  エンドカバー
４０  カバー部材
４１  カバー部材切欠部
４２  稜線
５０  反射板
５２  反射板切欠部
５３  空隙部
【図１】
0005403818.tif 000002
【図２】
0005403818.tif 000003
【図３】
0005403818.tif 000004
【図４】
0005403818.tif 000005
【図５】
0005403818.tif 000006
【図６】
0005403818.tif 000007
【図７】
0005403818.tif 000008
【図８】
0005403818.tif 000009